(57)【要約】【課題】見栄えやデザイン性に優れた二重手摺り構造を提供する。【解決手段】第２手摺り１Ｂは、前記支柱９の室内側に嵌合するように略コ字状断面を成し、前記支柱９に嵌合させた状態で側面側からのビス螺入によって支柱に固定されるベース部材２０と、このベース部材２０に連結され、略室内側方向に延びるブラケット部材２１と、このブラケット部材２１の先端に連結された笠木用の台座部材２２と、この先端部材間に掛け渡された第２笠木２３とからなり、前記ベース部材２０とブラケット部材２１との連結構造は、前記支柱９の室内側の面と前記ベース部材２０との間に空間Ｍを設けるようにしながら前記ベース部材２０を支柱９に固定するとともに、前記空間Ｍにビス頭部が配置され、前記ベース部材２０の室内側平面部２０ａを貫通しブラケット部材２１のビスポケットに螺入させた複数のビス２７により前記ベース部材２０とブラケット部材２１とが連結されている。【選択図】図１０
2018131861.tif 000002
【特許請求の範囲】
【請求項１】
横方向に所定間隔で立設された支柱と、これら支柱間にパネル又は複数の桟材が配置された支柱型手摺りと、この支柱型手摺りに対して室内側に設けられた第２手摺りとからなる二重手摺り構造であって、
前記第２手摺りは、前記支柱の室内側に嵌合するように略コ字状断面を成すとともに、鉛直方向に沿って所定の長さを有し、かつ前記支柱に嵌合させた状態で側面側からのビス螺入によって支柱に固定されるベース部材と、このベース部材に連結され、略室内側方向に延びるブラケット部材と、このブラケット部材の先端に連結された笠木用の台座部材と、この先端部材間に掛け渡された第２笠木とからなり、
前記ベース部材、前記ブラケット部材、前記台座部材及び前記第２笠木は押出し成形による形材から構成されており、
前記ベース部材とブラケット部材との連結構造は、前記支柱の室内側の面と前記ベース部材との間に空間を設けるようにしながら前記ベース部材を支柱に固定するとともに、前記空間にビス頭部が配置され、前記ベース部材の室内側平面部を貫通しブラケット部材のビスポケットに螺入させた複数のビスにより前記ベース部材とブラケット部材とが連結されており、
前記台座部材と前記ブラケット部材との連結構造は、台座部材のブラケット接合面部を貫通し前記ブラケット部材のビスポケットに螺入させた複数のビスにより前記台座部材と前記ブラケット部材とが連結され、かつ少なくとも前記台座部材の室内側の面を覆うように設けた台座カバー材によって被覆されていることを特徴とする二重手摺り構造。
【請求項２】
前記台座部材は、垂下片と水平片とからなる略逆Ｌ字状断面を成し、前記垂下片が前記ブラケット部材に対して連結され、前記水平片の上面に前記第２笠木が設置される請求項１記載の二重手摺り構造。
【請求項３】
前記台座部材の水平片の上面に起立片を有し、前記第２笠木の下面に前記起立片と嵌合する凹溝部が形成されており、前記起立片と凹溝部とを嵌合させた状態で前記第２笠木が設置されている請求項２記載の二重手摺り構造。
【請求項４】
前記台座部材上において、第２笠木同士のジョイント部が配置され、該ジョイント部が左右の第２笠木を跨ぐように設置したジョイントカバー材によって被覆されている請求項１〜３いずれかに記載の二重手摺り構造。
【発明の詳細な説明】
【技術分野】
【０００１】
本発明は、主としてマンションなどのバルコニーに設けられる二重手摺り構造に関する。
【背景技術】
【０００２】
従来より、マンションなどのバルコニーには、落下防止設備として手摺りが設けられている。この手摺りとしては、通常は１重構造の手摺りが設けられているが、総合設計制度を適用する場合は、二重の手摺りとすることが行われている。前記総合設計制度とは、都市計画で定められた制限に対して、計画を総合的に判断して、敷地内に歩行者が日常自由に通行又は利用できる空地を設けることにより、市街地の環境の整備改善に資すると認められる場合に、特定行政庁の許可により、容積率制限や斜線制限、絶対高さ制限を緩和する制度である。この制度を適用する場合には、設計に対して種々の条件が加わることになるが、東京都の規定では、マンションのバルコニーに対して、安全性の補助的対策として、二重手摺りとすることが謳われている。
【０００３】
前記二重手摺りの構造例としては、図１７に示されるように、横方向に所定間隔で立設された支柱５１，５１…と、これら支柱５１，５１間にパネルＰ又は複数の桟材が配置された支柱型手摺り５０に対して、前記支柱５１の室内面に対して第２手摺り５２を設けた構造が多く提案されている。前記第２手摺り５２は、アルミダイカストからなるブラケット部材５３と、これらブラケット部材５３の先端に掛け渡された手摺り用パイプ５４とからなり、前記ブラケット部材５３の基部上下端部にそれぞれベース部５５、５５を備え、ボルト・ナットによって支柱５１に締結された構造となっている。
【０００４】
また、下記特許文献１に、支柱間に上下胴縁を架設し、支柱の上端面に、逆チャンネル形の笠木を被着する保持心材をビス止めして架設した手摺りにおいて、前記笠木を下段笠木として、その上方に外側へ位置を違えて上段笠木を配設し、上段笠木を支持するアームを支柱の箇所に設けてあって、アームを支持するために、アームの下端部に、下段笠木に外側から被嵌する嵌着部と、支柱の外側面に突き当たる脚部片とを形成し、下段笠木には、保持心材の上から支柱にビス止めされる補強材を内装し、下段笠木の上側から嵌着部を補強材にビス止めする一方、脚部片を支柱にビス止めした二段手摺りが開示されている。
【先行技術文献】
【特許文献】
【０００５】
【特許文献１】登録実用新案公報第３０２７１９８号公報
【発明の概要】
【発明が解決しようとする課題】
【０００６】
しかしながら、前記アルミダイカスト製の二重手摺りの場合は、基部に設けたベース部の上下端を夫々、ボルト・ナットによって支柱に固定する構造であるため、ボルトが露出して見栄えが悪いという問題に加えて、アルミダイカストによって製造しているため、製作精度が悪く、手摺りパイプを固定する凹面部は別途機械仕上げが必要になるなどの問題があった。
【０００７】
一方、前記特許文献１に係る二段手摺りの場合は、アーム自体はアルミ押出し材によって製作されており、製作精度の問題が解消されることになるが、アームを支柱に固定する際のビス頭部が露出することになり見栄えが悪いという問題があった。
【０００８】
更に、前述した従来からの二重手摺り構造は、支柱に固定されるアームとアーム先端部に長手通しで掛け渡される笠木（上段笠木、パイプ）という２つの部材によって構成されており、単純な構造ではあるが、デザイン性に劣るという問題があった。そこで、複数の部材によってアームに対応する部材を構成することを企画した場合、これらの部材の接続方法に問題が発生することになる。先ず、ビス頭部が室内側（居住側）から見えるようにした場合は見栄えが悪くなるため、見えるビス頭部が最小限になるようにすることが重要になる。また、見栄えのためにビス連結を避けて各部材の接続を溶接で行った場合は、手間が掛かるためコスト増になるという問題があった。
【０００９】
そこで本発明の主たる課題は、支柱型手摺りの室内側に設けられる第２手摺りを複数の押出し成形による形材によって構成し、部材間の接続をビスによって行うようにしながら、室内側へのビスの露出を極力抑えた構造とし、見栄えやデザイン性に優れた二重手摺り構造を提供することにある。
【課題を解決するための手段】
【００１０】
上記課題を解決するために請求項１に係る本発明として、横方向に所定間隔で立設された支柱と、これら支柱間にパネル又は複数の桟材が配置された支柱型手摺りと、この支柱型手摺りに対して室内側に設けられた第２手摺りとからなる二重手摺り構造であって、
前記第２手摺りは、前記支柱の室内側に嵌合するように略コ字状断面を成すとともに、鉛直方向に沿って所定の長さを有し、かつ前記支柱に嵌合させた状態で側面側からのビス螺入によって支柱に固定されるベース部材と、このベース部材に連結され、略室内側方向に延びるブラケット部材と、このブラケット部材の先端に連結された笠木用の台座部材と、この先端部材間に掛け渡された第２笠木とからなり、
前記ベース部材、前記ブラケット部材、前記台座部材及び前記第２笠木は押出し成形による形材から構成されており、
前記ベース部材とブラケット部材との連結構造は、前記支柱の室内側の面と前記ベース部材との間に空間を設けるようにしながら前記ベース部材を支柱に固定するとともに、前記空間にビス頭部が配置され、前記ベース部材の室内側平面部を貫通しブラケット部材のビスポケットに螺入させた複数のビスにより前記ベース部材とブラケット部材とが連結されており、
前記台座部材と前記ブラケット部材との連結構造は、台座部材のブラケット接合面部を貫通し前記ブラケット部材のビスポケットに螺入させた複数のビスにより前記台座部材と前記ブラケット部材とが連結され、かつ少なくとも前記台座部材の室内側の面を覆うように設けた台座カバー材によって被覆されていることを特徴とする二重手摺り構造が提供される。
【００１１】
上記請求項１記載の発明では、前記ベース部材とブラケット部材との連結に当たって、前記支柱の室内側の面と前記ベース部材との間に空間を設けるようにしながら前記ベース部材を支柱に固定するとともに、前記空間にビス頭部が配置され、前記ベース部材の室内側平面部を貫通しブラケット部材のビスポケットに螺入させた複数のビスにより前記ベース部材とブラケット部材とが連結されてる。従って、前記ベース部材とブラケット部材とを連結しているビスが外部から一切見えない構造となっているため、見栄えが向上するとともに、デザイン性にも優れるようになる。
【００１２】
一方、前記台座部材と前記ブラケット部材との連結に当たって、台座部材のブラケット接合面部を貫通し前記ブラケット部材のビスポケットに螺入させた複数のビスにより前記台座部材と前記ブラケット部材とが連結され、かつ少なくとも前記台座部材の室内側の面を覆うように設けた台座カバー材によって被覆されている構造としている。前記台座部材と前記ブラケット部材との連結するビスは頭部が露出しないように台座カバーによって被覆することにより、見栄えが向上するとともに、デザイン性にも優れるようになる。なお、前記台座カバーについては、多少のビス頭部の露出は許容することにしてビス固定としてもよいし、ビスを使わずに、台座カバーが外れないように台座部材に係止させた構造としてもよい。
【００１３】
請求項２に係る本発明として、前記台座部材は、垂下片と水平片とからなる略逆Ｌ字状断面を成し、前記垂下片が前記ブラケット部材に対して連結され、前記水平片の上面に前記第２笠木が設置される請求項１記載の二重手摺り構造が提供される。
【００１４】
上記請求項２記載の発明では、台座部材の具体的な構造例を示したものである。前記台座部材は、垂下片と水平片とからなる略逆Ｌ字状断面を成す部材とし、前記垂下片が前記ブラケット部材に対して連結され、前記水平片の上面に前記第２笠木が設置される構造とするのが望ましい。
【００１５】
請求項３に係る本発明として、前記台座部材の水平片の上面に起立片を有し、前記第２笠木の下面に前記起立片と嵌合する凹溝部が形成されており、前記起立片と凹溝部とを嵌合させた状態で前記第２笠木が設置されている請求項２記載の二重手摺り構造が提供される。
【００１６】
上記請求項３記載の発明では、前記台座部材と第２笠木との連結強度を補強するための構造として、前記台座部材の水平片の上面に起立片を有し、前記第２笠木の下面に前記起立片と嵌合する凹溝部が形成されており、前記起立片と凹溝部とを嵌合させた状態で前記第２笠木が設置されている構造とするのが望ましい。このような構造とすることにより、第２笠木の室内外方向強度を飛躍的に向上させることができる。
【００１７】
請求項４に係る本発明として、前記台座部材上において、第２笠木同士のジョイント部が配置され、該ジョイント部が左右の第２笠木を跨ぐように設置したジョイントカバー材によって被覆されている請求項１〜３いずれかに記載の二重手摺り構造が提供される。
【００１８】
上記請求項４記載の発明では、第２笠木同士のジョイント部を露出させない構造とするために、前記台座部材上において、第２笠木同士のジョイント部が配置され、該ジョイント部が左右の第２笠木を跨ぐように設置したジョイントカバー材によって被覆されている構造とするのが望ましい。
【発明の効果】
【００１９】
以上詳説のとおり本発明によれば、支柱型手摺りの室内側に設けられる第２手摺りを複数の押出し成形による形材によって構成し、部材間の接続をビスによって行うようにしながら、室内側へのビスの露出を極力抑えた構造とし、見栄えやデザイン性に優れた二重手摺り構造を提供することができる。
【図面の簡単な説明】
【００２０】
【図１】本発明に係る二重手摺り構造を示す正面図である。
【図２】その縦断面図（図１のII−II線矢視図）である。
【図３】支柱部を室内側から見た斜視図である。
【図４】支柱部の水平横断面図（図２のIV−IV線矢視図）である。
【図５】支柱部の水平横断面図（図２のV−V線矢視図）である。
【図６】柱用芯材２を示す平面図である。
【図７】柱用芯材２の建込み状態を示す側面図である。
【図８】ユニット材３を示す、(A)は正面図、(B)は横断面図（B-B線矢視図）である。
【図９】第２手摺り１Ｂの斜視図である。
【図１０】第２手摺り１Ｂの拡大側面図である。
【図１１】第２手摺り１Ｂの分解図である。
【図１２】第２手摺り１Ｂの一部破断平面図である。
【図１３】第２手摺り１Ｂの室内側から視図（背面図）である。
【図１４】ブラケット部材２１の他例を示す断面図である。
【図１５】ブラケット部材２１に傾斜を持たせた場合を示す、(A)は側面図、(B)は要部拡大断面図である。
【図１６】手摺り形式の他例を示す、(A)は縦桟方式、(B)は横桟方式、(C)は組み合わせ方式の正面図である。
【図１７】従来の二重手摺り構造を示す側面図である。
【発明を実施するための形態】
【００２１】
以下、本発明の実施の形態について図面を参照しながら詳述する。
【００２２】
本発明に係る二重手摺り構造１は、図１及び図２に示されるように、横方向に所定間隔で立設された支柱９，９…と、これら支柱９，９間にパネル（又は複数の桟材）が配置された支柱型手摺り１Ａと、この支柱型手摺り１Ａの室内側に設けられた第２手摺り１Ｂとからなる二重手摺り構造である。
【００２３】
以下、前記支柱型手摺り１Ａと第２手摺り１Ｂとについて順に詳述する。
【００２４】
＜支柱型手摺り１Ａ＞
前記支柱型手摺り１Ａは、施工面上に予め所定間隔で立設される柱用芯材２，２…と、これら柱用芯材２，２…によって支持され、横方向に所定間隔で立設された支柱９と、この支柱９の上下部に配置された横材６，７とを備え、前記支柱９、９と横材６，７とによって四周が枠組みされるとともに、この枠組み内部にパネルＰ（又は複数の桟材）が配置され、更に上部側横材６の上面に長手通しの笠木部材８が配設された構造である。
【００２５】
本例では特に、前記支柱９が左右一対の分割支柱材４，５を組み合わせることによって構成された分割支柱とされ、前記分割支柱材４，５と前記横材６，７とによって予め四周が枠組みされたユニット材３が構成され、各ユニット３，３…毎に施工される。本支柱型手摺り１Ａでは、前記支柱９の高さ方向中間であって、支柱９の内部に曲げ捻れ防止部材１０が配設されている。
【００２６】
以下、部材毎に具体的に詳述する。
【００２７】
前記柱用芯材２は、詳細には図６に示されるように、断面略横Ｈ形状を成すアルミ形材であり、ウエブ２Ａの前後２箇所にアンカーボルト通孔２ａ、２ａを有し、一方側フランジ２Ｂの外面中央に凹状の切欠き２Ｄを有するとともに、他方側フランジ２Ｃの外面中央に凹状の切欠き２Ｅを有する。これら切欠き２Ｄ、２Ｅによって形成された右側のウエブ２Ａを跨いだ前後対の段部が前記分割支柱材４のための被係合部２ｂ、２ｃを構成し、左側のウエブ２Ａを跨いだ前後対の段部が前記分割支柱材５のための被係合部２ｄ、２ｅを構成する。
【００２８】
前記柱用芯材２は、図７に示されるように、アンカーボルト通孔２ａ、２ａの下端側にタップ加工を施すとともに、アンカーボルト１２，１２の上端側（ネジ部）を螺合接続しておき、アンカーボルト１２の下端側を施工面を構成しているコンクリート基礎Ｈに対して横方向に所定間隔Ｌで埋設固定することにより立設されている。
【００２９】
前記ユニット材３は、詳細には図８に示されるように、両側部に配置された分割支柱材４、５と、上下部に配置された横材６，７とによって四周が枠組みされ、枠組内部にパネルＰ（又は後述する複数の桟材）が配置されたもので、基本的には工場製作され現場に搬入される。
【００３０】
前記分割支柱材４は、押出し成形されたアルミ形材とされ、断面視で前記柱用芯材２の略片側半分を囲む溝型断面の半枠部４Ａを有するとともに、該半枠部４Ａの両端部に夫々、前記柱用芯材２に対する係合部４ａ、４ｂを有する。これら係合部４ａ、４ｂは内部側に突出する突片部分を有し、同時に前記曲げ捻れ防止部材１０の被係止部を構成している。前記半枠部４Ａには、高さ方向中間であって、前記支柱９の内部に、前記曲げ捻れ部材１０を構成する一方の断面Ｌ字状部材１０Ｂが半枠部４Ａに設けられた座面用Ｌ字突出片４ｃに対してビス１３によって固定されている。また、前記半枠部４Ａに隣接する前側位置に、内方側に開口溝を向けた断面略コ字状のパネル嵌合溝部４Ｂを備えている。さらに、前記半枠部４Ａの内部には組立て用ビスポケット１２、１２が２箇所設けられている。
【００３１】
一方の分割支柱材５も同様に、押出し成形されたアルミ形材とされ、断面視で前記柱用芯材２の略片側半分を囲む溝型断面の半枠部５Ａを有するとともに、該半枠部５Ａの両端部に夫々、前記柱用芯材２に対する係合部５ａ、５ｂを有する。これら係合部４ａ、４ｂは内部側に突出する突片部分を有し、同時に前記曲げ捻れ防止部材１０の被係止部を構成している。前記半枠部５Ａには、高さ方向中間であって、前記支柱９の内部に、前記曲げ捻れ部材１０を構成する他方の断面Ｌ字状部材１０Ａが半枠部５Ａに設けられた座面用Ｌ字突出片５ｃに対してビス１３によって固定されている。また、前記半枠部５Ａに隣接する前側位置に、内方側に開口溝を向けた断面略コ字状のパネル嵌合溝部５Ｂを備えている。さらに、前記半枠部５Ａの内部には組立て用ビスポケット１２が２箇所設けられている。図５に示されるように、前記分割支柱材４と分割支柱材５とを組み合わせることにより、前記半枠部同士４Ａ、５Ａによって矩形状中空部が形成されるようになっている。
【００３２】
前記捻れ防止部材１０を構成する前記断面Ｌ字状部材１０Ａ、１０Ｂとしては、同じ部材が使用されており、片方を天地反対として使用し、同図５に示されるように、組み合わせることにより断面矩形状となる。前記曲げ捻れ防止部材１０は、一対の断面Ｌ字状部材１０Ａ、１０Ｂ同士を組み合わせることにより断面矩形状を成し、周方向に閉合しているとともに、前記半枠部４Ａ、５Ａの継ぎ目位置に存在している一対の突片部分４ａ、５ａ（４ｂ、５ｂ）を両側から押さえる係止部を有するため、Ｘ方向及びＹ方向に対する断面剛性を補強するとともに、捻れ剛性を補強するため、支柱９に過大な風荷重が加わったり、人為的に過渡の力が加えられたとしても、支柱９が弱軸に向かって捻れながら変形する現象（曲げ捻れ変形）が生じるのを防止することができる。
【００３３】
前記上部側横材６は、同じく押出し成形されたアルミ形材とされ、図２に示されるように、前記分割支柱材４、５の半枠部４Ａ、５Ａに対応する部分に平板状の天板部６Ａを有し、この天板部６Ａに隣接する前側位置に、内方側に開口溝を向けた断面略コ字状のパネル嵌合溝部６Ｂを備えている。
【００３４】
前記下部側横材７も同じく押出し成形されたアルミ形材とされ、台形状の中空部７Ａに隣接する前側位置に、内方側に開口溝を向けた断面略コ字状のパネル嵌合溝部７Ｂを備えている。また、前記中空部７Ａの内部には組立て用ビスポケット１８が２箇所設けられている。
【００３５】
前記分割支柱材４，５及び横材６，７によって四周が枠組みされ、前記パネル嵌合溝４Ａ、５Ｂ、６Ｂ、７Ｂが周方向に沿って連続形成され、このパネル嵌合溝４Ａ、５Ｂ、６Ｂ、７Ｂにグレチャン１１が嵌合されるとともに、このグレチャン１１によってパネルＰが嵌合支持され、ユニット材３が構成されている。
【００３６】
施工は、前記ユニット材３を順次持ち込み、両側部の分割支柱材４，５の半枠部４Ａ、５Ａを柱用芯材２，２に落とし込むことにより、前記分割支柱材４，５を柱用芯材２，２に係合させて取付けが順次行われる。ユニット材３の設置状態では、図４に示されるように、前記分割支柱材４の半枠部４Ａの係合部４ａ、４ｂが柱用芯材２の被係合部２ｂ、２ｃに係合し、前記分割支柱材５の半枠部５Ａの係合部５ａ、５ｂが柱用芯材の被係合部２ｄ、２ｅに係合するように取付けられ、前記柱用芯材２を囲む一対の分割支柱材４，５の組合せによって支柱９、９…が構成されている。
【００３７】
各ユニット材３，３…の取付けが完了したならば、前記上部側横材６の上面に長手通しの笠木部材８を配設し、図２に示されるように、前記笠木部材８をビス１５、１５…によって固定する。
【００３８】
＜第２手摺り１Ｂ＞
第２手摺り１Ｂは、図９及び図１０に示されるように、前記支柱９の室内側に嵌合するように略コ字状断面を成すとともに、鉛直方向に沿って所定の長さを有し、かつ前記支柱９に嵌合させた状態で側面側からのビス螺入によって支柱に固定されるベース部材２０と、このベース部材２０に連結され、略室内側方向に延びるブラケット部材２１と、このブラケット部材２１の先端に連結された笠木用の台座部材２２と、この台座間部材２２、２２間に掛け渡された第２笠木２３とから主に構成されている。これらベース部材２０、ブラケット部材２１、台座部材２２及び第２笠木２３は押出し成形による形材によって構成されている。
【００３９】
以下、具体的に詳述すると、
前記ベース部材２０は、図１１に示されるように、前記支柱９の室内側に嵌合できるように、室内側平面部２０ａと、その両側から屈曲して延びる左右一対の側面部２０ｂ、２０ｂとによって略コ字状断面を成している。前記室内側平面部２０ａの中央には、ブラケット部材２１との連結のために、縦方向に間隔をおいて複数の、図示例では４つのビス貫通孔２０ｅ、２０ｅ…が形成されているとともに、前記側面部２０ｂには、支柱９に対する固定のために、縦方向に間隔をおいて複数の、図示例では３つのビス貫通孔２０ｆ、２０ｆ…が形成されている。
【００４０】
一方、前記室内側平面部２０ａの内面側には２つのビスポケット２０ｃ、２０ｃが設けられているとともに、内方側に突出する突片２０ｄ、２０ｄが形成されている。図示例では、前記ビスポケット２０ｃの一方側片を突出させることにより前記突出片２０ｄを兼用するようにしている。前記突出片２０ｄを形成することにより、図１２に示されるように、前記支柱９への固定状態で、前記支柱９の室内側の面と前記室内側平面部２０ａとの間に、空間Ｍが形成されるようになっている。この空間Ｍは、後述するように、ビス頭部の配置空間となる。
【００４１】
前記ベース部材２０は、図１０に示されるように、支柱９に嵌合させた状態で、前記側面部２０ｂ、２０ｂの外面側から前記支柱９を貫いて螺入させたビス２６によって支柱９に対して固定されている。この場合、ビス２６を螺入させる支柱９の部位には、図１２に示されるように、内空側にビスポケットが存在しており、前記ビス２６をビスポケットに側面から螺入させるようになっている。これによりビス２６による固定を堅固なものとしている。ベース部材２０の下端には平面視でコ字状のベース部カバー材３２が取り付けられている。前記室内側平面部２０ａの内面に形成されたビスポケット２０ｃは、前記ベース部カバー材３２を固定するためのビスポケットである。
【００４２】
前記ブラケット部材２１は、図１１に示されるように、矩形断面を成している。内部には上下方向に２段で水平隔壁材２１ａ、２１ｂを備えている。そして、上端側セル内には各壁面部中央にビスポケット２１ｃが形成されているとともに、下端側セル内の各壁面中部にビスポケット２１ｃが形成されている。
【００４３】
前記ベース部材２０と前記ブラケット部材２１との連結構造は、図１０及び図１２に示されるように、前記ベース部材２０の空間Ｍにビス頭部が配置され、前記ベース部材２０の室内側平面部２０ａに形成されているビス貫通孔２０ｅを貫通して前記ブラケット部材２１のビスポケット２０ｃに螺入させた複数のビス２７，２７…により、前記ベース部材２０と前記ブラケット部材２１とが連結されている。前記ビス２７は、縦方向に間隔を空けて配置された複数の、図示例では４つのビスによって連結されている。従って、前記ベース部材２０とブラケット部材２１とを連結しているビス２７、２７…が外部から一切見えない構造となっているため、見栄えが向上するとともに、デザイン性にも優れるようになる。
【００４４】
一方、前記台座部材２２は、側面視で略逆Ｌ字状を成し、ブラケット連結面部となる垂下片２２Ａと、第２笠木２３が設置される水平片２２Ｂとからなる。前記垂下片２２Ａが前記ブラケット部材２１に対して連結され、前記水平片２２Ｂの上面に前記第２笠木２３が設置される。
【００４５】
前記垂下片２２Ａには、合計６つのビス貫通孔２２ａ…、２２ｂ…を有する。四隅の４つのビス貫通孔２２ａ、２２ａ…は前記台座部材２２をブラケット部材２１に連結するためのものであり、中央の２つのビス貫通孔２２ｂ、２２ｂは台座カバー材２４を取り付けるためのものである。また、前記水平片２２Ｂには、笠木方向に沿って２つの長孔２２ｃ、２２ｃが形成されているとともに、上面に笠木方向に沿って起立片２２ｄが形成されている。
【００４６】
前記台座部材２２と前記ブラケット部材２１との連結構造は、図１０に示されるように、台座部材２２のブラケット接合面部（垂下片２２Ａ）を貫通し、前記ブラケット部材２１のビスポケット２１ｃに螺入させた複数のビス２８，２８…により前記台座部材２２と前記ブラケット部材２１とが連結され、かつ少なくとも前記台座部材２２の室内側の面を覆うように設けた台座カバー材２４によって被覆されている。
【００４７】
前記台座カバー材２４は、図８に示されるように、側面視で前記台座部材２２と近似した形状を成し、台座部材２２側の面が開口とされた樹脂又はゴム材からなる部材であり、室内側の面に、上下に並んで２つのビス貫通孔２４ａが形成されている。前記台座部材２２に対して、室内側から被せるように嵌合させることで、少なくとも前記台座部材２２の室内側の面を覆うようになる。前記台座カバー材２４の固定は、図１０に示されるように、台座カバー材２５の室内面側のビス貫通孔２４ａを貫通して、ブラケット部材２１のビスポケット２１ｃに螺入させたビス２９によって固定されている。なお、台座カバー材２４の固定方法に関して、本形態例では、多少のビス頭部の露出は許容することにしてビス固定としたが、ビスを使わずに、台座カバーが外れないように台座部材２２に係止させた構造としてもよい。
【００４８】
次に、前記第２笠木部材２３は、上面がやや湾曲形状を成した略矩形断面の形材であり、下面には前記台座部材２２の起立片２２ｄと嵌合する凹溝部２３ａが形成されている。
【００４９】
そして、前記第２笠木部材２３を前記台座部材２２に設置したならば、台座部材２２の長孔２２ｃに下面側から螺入させたビス３０によって第２笠木２３を固定する。前記台座部材２２の起立片２２ｄと、前記第２笠木２３の凹溝部２３ａとを嵌合させた状態で前記第２笠木２３が設置されている構造とすることにより、第２笠木２３の室内外方向強度を飛躍的に向上させることができる。
【００５０】
前記第２笠木２３については、部材接合部分に若干の隙間を形成したジョイント部が発生するが、このジョイント部は、前記台座部材２２上に配置されるようにし、左右それぞれの第２笠木２３、２３をビス３０によって固定したならば、左右の第２笠木２３、２３を跨ぐように設置したジョイントカバー２５によって被覆するようにする。このジョイントカバー２５は、ビス３１によって固定されている。
【００５１】
〔他の形態例〕
(1)上記形態例では、ブラケット部材２１として、矩形断面部材を用いたが、断面形状は任意であり、図１４に示されるように、Ｉ形断面とすることもできる。図示のＩ型断面ブラケット部材２１の場合も、ベース部材２０とのビス連結本数は、縦方向に４本とし、同程度の強度を確保するのが望ましい。
【００５２】
(2)上記形態例では、ブラケット部材２１を水平方向配向として、支柱９及びベース部材２０との交差角は９０度としているが、図１５に示されるように、ブラケット部材２１に水平方向に対して斜め上方向の傾斜角度を持たせるようにすることも可能である。この場合は、同図１５(B)に示されるように、ビス２８の螺入方向がブラケット部材２１方向になるようにするとともに、ビス螺入方向に対してビス頭部の座面が９０度となるような傾斜凸部３３ａを各ビス螺入位置に形成したライナー部材３３を使用することが望ましい。なお、前記台座部材２２側においても同様に、ビス螺入部位に傾斜凸部を形成し、ビスの螺入方向がブラケット部材２１方向になるようにするとともに、ビス螺入方向に対してビス頭部の座面が９０度となるようにしている。
【００５３】
(3)上記形態例では、ユニット材３の枠組み内部にパネルＰを嵌合支持させるようにしたが、図１７に示されるように、枠組み内部に複数の桟材５０…、５１…を配設したユニット材３とすることも可能である。図１７(A)は、縦桟５０、５０…を配置した例であり、図１７(B)は、横桟５１，５１…を配置した例である。これ以外に、横／縦ルーバー等を配置した形式とすることもできる。更には、図１７(C)に示されるように、これらの組合せとすることも可能である。
【符号の説明】
【００５４】
１…二重手摺り構造、１Ａ…支柱型手摺り、１Ｂ…第２手摺り、２…柱用芯材、３…ユニット材、４・５…分割支柱材、４Ａ・５Ａ…半枠部、６…上部側横材、７…下部側横材、８…笠木部材、９…支柱、１０…曲げ捻れ防止部材、１０Ａ・１０Ｂ…断面Ｌ字状部材、１２…アンカーボルト、２０…ベース部材、２１…ブラケット部材、２２…台座部材、２３…第２笠木、２４…台座カバー材、２５…ジョイントカバー材、２７〜３１…ビス、Ｐ…パネル、Ｍ…空間
【図１】
2018131861.tif 000003
【図２】
2018131861.tif 000004
【図３】
2018131861.tif 000005
【図４】
2018131861.tif 000006
【図５】
2018131861.tif 000007
【図６】
2018131861.tif 000008
【図７】
2018131861.tif 000009
【図８】
2018131861.tif 000010
【図９】
2018131861.tif 000011
【図１０】
2018131861.tif 000012
【図１１】
2018131861.tif 000013
【図１２】
2018131861.tif 000014
【図１３】
2018131861.tif 000015
【図１４】
2018131861.tif 000016
【図１５】
2018131861.tif 000017
【図１６】
2018131861.tif 000018
【図１７】
2018131861.tif 000019